(57)【要約】【課題】浄水装置その他の水質改善装置の処理槽ケーシング内に設置固定される活性炭フィルターのズレを防止するとともに、水圧変動を弾性的に吸収して、安定性を向上する。【解決手段】水質改善装置の浄化シリンダー（ｙ）のケーシング内に装填される活性炭フィルター（ｚ）の固定設置について、設置両端に板状フレーム要素（ａ，ｂ）を有した活性炭フィルター（ｚ）と、板状フレーム要素の片方（ａ）を被処理水の導入側からフィルター（ｚ）の軸線方向に沿って付勢支持するためのコイルスプリング（ｇ）とを、ケーシング内に拘束してそれぞれの板状フレーム要素（ａ，ｂ）に面圧を加えることにより、フィルター（ｚ）を押圧保持する。板状フレーム要素（ａ，ｂ）はパッキン（ｈ）を封止するための固定板（上下) であり、フィルター（ｚ）を貫通するステー（ｉ）又はボルト要素（ｊ）により連結され、該フィルター（ｚ）を両面から挟持するように締着される。【選択図】      図１
2005279539.tif 000002
【特許請求の範囲】
【請求項１】
水道水その他の被処理水を浄化処理する浄水装置その他の水質改善装置において、
水質改善装置の浄化シリンダー又は処理槽のケーシング内に、軸線方向に沿って装填される活性炭フィルターの固定設置方法であって、
活性炭フィルターの設置両端に設けた板状フレーム要素の片方を、被処理水の導入側から前記フィルターの軸線方向に沿って弾性体により付勢支持し、かつ、他方の板状フレーム要素をケーシングにより拘束し、それぞれの板状フレーム要素に面圧を加えることにより前記フィルターを押圧保持するようにしたことを特徴とする活性炭フィルターの固定設置方法。
【請求項２】
板状フレーム要素がパッキンを封止するための固定板であり、弾性体がコイルスプリングである請求項１記載の活性炭フィルターの固定設置方法。
【請求項３】
固定板がフィルターを貫通するステー又はボルト要素により連結され、該フィルターを設置両端から挟持し、かつ、締着するものである請求項１又は２記載の活性炭フィルターの固定設置方法。
【請求項４】
水道水その他の被処理水を浄化処理する浄水装置その他の水質改善装置において、
水質改善装置の浄化シリンダ又は処理槽のケーシング内に、軸線方向に沿って装填される活性炭フィルターの固定設置構造であって、
設置両端に板状フレーム要素を有した活性炭フィルターと、前記板状フレーム要素の片方を被処理水の導入側から前記フィルターの軸線方向に沿って付勢支持するための弾性体とを、ケーシング内に拘束してそれぞれの板状フレーム要素に面圧を加えることにより、前記フィルターを押圧保持してなることを特徴とする活性炭フィルターの固定設置構造。
【請求項５】
板状フレーム要素がパッキンを封止するための固定板であり、弾性体がコイルスプリングである請求項４記載の活性炭フィルターの固定設置構造。
【請求項６】
固定板がフィルターを貫通するステー又はボルト要素により連結され、該フィルターを設置両端から挟持し、かつ、締着するものである請求項４又は５記載の活性炭フィルターの固定設置構造。
【発明の詳細な説明】
【技術分野】
【０００１】
この発明は、水道水などの飲料水・生活水を浄化・活性させる浄水装置その他の水質改善装置の浄化シリンダー又は処理槽のケーシング内に、軸線方向に沿って装填される活性炭フィルターの固定設置方法及び固定設置構造に関する。
【背景技術】
【０００２】
従来、浄水装置について、ろ過方法は活性炭フィルターを使用することが多くなってきている。しかしながら、その活性炭フィルターを固定する方法は、浄水装置そのもののケースの単に挿入して、ケースの強度を高めて固定させる方法であった（例えば、特許文献１及び１を参照。）。
【特許文献１】特開２０００−１８９９５０号公報
【特許文献２】特開平１０−５７４７号公報
【０００３】
また、浄水装置そのものは外部に水漏れが無いように、シリンダーケースの外部への溶着に焦点が絞られて、内部漏れに関しては、考慮されていなかった。
【０００４】
さらに、浄水装置のシリンダーの方で、中に装着させる活性炭フィルターを固定させているため、活性炭フィルターの寸法誤差は考慮されていなかった。
【０００５】
従来的な固定方法では、浄水装置そのもののケースの単に挿入して、ケースの強度を高めて固定させる方式であったため、活性炭フィルターの精度の誤差や通水したときに活性炭フィルターの変形に伴い、外部シリンダーからの水漏れは防げても、内部の活性炭フィルターと装置本体の浄化シリンダーとの隙間からの内部漏れが生じてくるという問題があった。
【０００６】
さらに、活性炭フィルターを浄水装置本体に単に挿入すると言う方法では、内部のシリンダー内のセンター部分に活性炭フィルターが収まらず、通水時に水圧によってズレガ生じて、水道水が活性炭フィルターを通過せずに吐水されると言う現象が起こっていた。
【発明の開示】
【発明が解決しようとする課題】
【０００７】
従来、活性炭フィルターの固定方法を外ケースの浄化シリンダーで固定して、外部への水漏れと活性炭フィルターからの内部の水漏れを同時に防ごうとしていた。
【０００８】
浄化シリンダー内を密閉する方法と活性炭フィルター内だけを密閉させる方法を独立させて行うことで、上記問題は解決される。
【課題を解決するための手段】
【０００９】
課題を解決するために本発明は、水道水その他の被処理水を浄化処理する浄水装置その他の水質改善装置において、水質改善装置の浄化シリンダー又は処理槽のケーシング内に、軸線方向に沿って装填される活性炭フィルターの固定設置方法であって、活性炭フィルターの設置両端に設けた板状フレーム要素の片方を、被処理水の導入側から前記フィルターの軸線方向に沿って弾性体により付勢支持し、かつ、他方の板状フレーム要素をケーシングにより拘束し、それぞれの板状フレーム要素に面圧を加えることにより前記フィルターを押圧保持するようにしたことを特徴とするものである。
【００１０】
また、その固定設置構造であって、設置両端に板状フレーム要素を有した活性炭フィルターと、前記板状フレーム要素の片方を被処理水の導入側から前記フィルターの軸線方向に沿って付勢支持するための弾性体とを、ケーシング内に拘束してそれぞれの板状フレーム要素に面圧を加えることにより、前記フィルターを押圧保持してなることを特徴とするものである。
【発明の効果】
【００１１】
本発明方法及び構造によれば、活性炭フィルターが完全に固定されていることで、水圧が高くかかっても、活性炭フィルターが中心からズレることが無いため、水道水が活性炭フィルターを通らないことがなくなる。
【００１２】
また、活性炭フィルターは、固定板（ａ）（ｂ）が活性炭フィルターを挟み込んで圧縮固定されるため、水圧や活性炭フィルターの精度に関係なく密着させることができるため、活性炭フィルターの端から水道水が漏れて浄化されていない水が出てくることが無くなる。
【００１３】
さらに、スプリングを使用して固定した場合は、急激な水圧の変化（ウオーターハンマー）が起こっても、活性炭フィルターや装置本体に直接圧力がかからないように、スプリングが上下して、水圧に応じて吸収してくれるので、活性炭フィルターや装置に負担がかからない。
【発明を実施するための最良の形態】
【００１４】
本発明方法（構造）の最良形態を添付図面を参照して以下説明する。
【００１５】
図１は活性炭フィルターの固定設置構造説明図である。
【００１６】
図示するように、活性炭フィルターの固定設置構造は、設置両端に板状フレーム要素を有した活性炭フィルターと、板状フレーム要素の片方を被処理水の導入側からフィルターの軸線方向に沿って付勢支持するための弾性体とを、ケーシング内に拘束してそれぞれの板状フレーム要素に面圧を加えることにより、フィルターを押圧保持するようにしたものである。
【００１７】
ここで、板状フレーム要素はパッキンを封止するための固定板であり、フィルターを貫通するステー又はボルト要素により連結され、該フィルターを設置両端から挟持し、かつ、締着する構成とされている。また、弾性体はコイルスプリングである。
【００１８】
より具体的に説明すると、活性炭フィルター（ｚ）の中心に円筒形の穴を（ｃ）〜（ｄ）まで貫通させ、水の通過するスペースをあける。
【００１９】
その中心にステー（ｉ）あるいはパイプ（ｋ）を（ｅ）〜（ｆ）に挿入する。
【００２０】
このステー（ｉ）は、一方の端はＴ型あるいは固定板（ｂ）に接着されており、もう一方の端はボルトナット（ｊ）などで固定されるようネジが切ってある。
【００２１】
そして、活性炭フィルター（ｚ）の両端にはドーナッツ状の水漏れを防ぐためのパッキン（ｈ）を設ける。
【００２２】
さらに、そのパッキン（ｈ）を押さえるようにステンレスあるいはＡＢＳなどの固定板（ａ）（ｂ）で活性炭フィルター（ｚ）を挟み込むように装着し、その固定板をボルトナット（ｊ）で締め付けるか、片方にスプリング（ｇ）を使用して、固定板（ａ）を押し上げて、活性炭フィルター（ｚ）と固定板（ｂ）を圧縮させて、活性炭フィルター（ｚ）を独立させて水質改善装置を構成する。
【００２３】
上記構成による水質改善装置では、浄化シリンダー（ｙ）のＩＮ側（ｖ）方向から水道水がシリンダー内に注水される。中心にある活性炭フィルター（ｚ）は上下固定板（ａ）（ｂ）に挟まれていて、ステーあるいはパイプ（ｉ）（ｋ）によって固定される。それを、ボルトナット（ｊ）にて締め付けていくかまたは、ステーやパイプ（ｉ）（ｋ）を使用せずに、上下固定板（ａ）（ｂ）を設けて、固定板（ａ）をスプリング（ｇ）で押し上げることで、活性炭フィルター（ｚ）は固定板（ａ）（ｂ）と完全に密着されていることになる。
【００２４】
そこへ、（ｖ）方向から入ってきた水は、固定板（ａ）にあたり、固定板（ａ）は水路が無いために、水は（ｏ）方向へと流れていく。
【００２５】
そして、固定板（ａ）（ｂ）とパッキン（ｈ）との隙間が固定されて塞がれているので、水が活性炭フィルター（ｚ）の中に入るスペースは、（ｗ）しかなくなる。
【００２６】
したがって、（ｗ）から入ってきた水は、今度は同じく、固定板（ａ）（ｂ）とパッキン（ｈ）及び活性炭フィルターの端（ｃ）（ｄ）から外部へ出られず、（ｐ）方向へ流れていく、そして、固定板（ｂ）は中心に水路の穴が開いており、（ｘ）方向に、活性炭フィルターで浄化された水のみが吐水される。なお、固定板（ｂ）は装置本体に固定する。
【図面の簡単な説明】
【００２７】
【図１】活性炭フィルターの固定設置構造説明図である。
【符号の説明】
【００２８】
（ａ）  下部固定板〔板状フレーム要素〕
（ｂ）  上部固定板〔板状フレーム要素〕
（ｃ）  活性炭フィルターの通水出口
（ｄ）  活性炭フィルターの通水入り口
（ｅ）  上部固定板の貫通穴（通水口）
（ｆ）  下部固定板の貫通穴（ボルト穴）
（ｇ）  スプリング〔弾性体〕
（ｈ）  ドーナッツ型パッキン
（ｉ）  固定板圧着ステー
（ｊ）  ボルトナット
（ｋ）  固定板圧着パイプ
（ｏ）  通水経路
（ｐ）  通水経路
（ｖ）  ＩＮ側通水口
（ｗ）  通水経路
（ｘ）  ＯＵＴ側吐水口
（ｙ）  浄化シリンダー（又は処理槽）
（ｚ）  活性炭フィルター
【図１】
2005279539.tif 000003